(57)【要約】【課題】非接触ＩＣカード機能付き携帯端末を用いて商品を購入しその決済を行う際に購入商品の詳細情報を携帯端末に記憶することができ、記憶した購入商品詳細情報を家計情報管理や品物状態管理に活用できる情報管理システムを提供する。【解決手段】非接触ＩＣカード機能を利用した情報管理システムは、非接触ＩＣカード機能付き携帯端末１１０と、端末装置１２０と、家電機器１３０から構成される。非接触ＩＣカード機能付き携帯端末１１０は、非接触ＩＣカード１１１を通じて購入商品情報１０１を入力し、品目分類フィルタ１１２により品目別商品情報を生成し、通信部１１３により端末装置１２０及び家電機器１３０へ品目別商品情報を送信する。端末装置１２０及び家電機器１３０は、受信した品目別商品情報を記録し、家計情報管理や品物状態管理に活用する。【選択図】図２
2007241849.tif 000002
【特許請求の範囲】
【請求項１】
商品の購入で決済する際に購入商品に関する情報である商品情報を記憶し管理する非接触ＩＣカード機能付き携帯端末と、
通信機能を搭載した端末装置と、
機器内の品物の状態に関する情報である品物情報を管理する品物情報管理機能及び通信機能を搭載した家電機器とを用いて情報を管理する非接触ＩＣカード機能を利用した情報管理システムであって、
前記非接触ＩＣカード機能付き携帯端末は、前記商品情報を前記端末装置及び前記家電機器へ送信し、前記端末装置及び前記家電機器は、受信した前記商品情報を記録することを特徴とする非接触ＩＣカード機能を利用した情報管理システム。
【請求項２】
前記非接触ＩＣカード機能付き携帯端末は、非接触ＩＣカードと、分類手段と、通信手段とを有し、
前記非接触ＩＣカードは、前記商品情報を読み書きし記憶して前記分類手段へ送出し、
前記分類手段は、前記非接触ＩＣカードから受け取った商品情報を所定の項目に分類した項目別商品情報を生成して前記通信手段へ送出し、
前記通信手段は、前記分類手段から受け取った項目別商品情報を前記端末装置及び前記家電機器へ送信することを特徴とする請求項１に記載の非接触ＩＣカード機能を利用した情報管理システム。
【請求項３】
前記通信手段は、ケーブル又は赤外線で接続して前記端末装置及び前記家電機器と通信を行うことを特徴とする請求項２に記載の非接触ＩＣカード機能を利用した情報管理システム。
【請求項４】
前記通信手段は、前記端末装置に前記項目別商品情報を電子メールで送信することを特徴とする請求項２又は３に記載の非接触ＩＣカード機能を利用した情報管理システム。
【請求項５】
前記非接触ＩＣカード機能付き携帯端末は、前記家電機器により管理された品物情報を取得することを特徴とする請求項１から４のいずれか１項に記載の非接触ＩＣカード機能を利用した情報管理システム。
【請求項６】
前記非接触ＩＣカード機能付き携帯端末は、品物情報格納手段を有し、
前記通信手段は、前記家電機器により管理された品物情報を受信して前記品物情報格納手段へ送出し、
前記品物情報格納手段は、前記通信手段から受け取った品物情報を格納することを特徴とする請求項５に記載の非接触ＩＣカード機能を利用した情報管理システム。
【請求項７】
前記品物情報は、在庫に関する情報を含むことを特徴とする請求項６に記載の非接触ＩＣカード機能を利用した情報管理システム。
【請求項８】
前記品物情報は、賞味期限に関する情報を含むことを特徴とする請求項７に記載の非接触ＩＣカード機能を利用した情報管理システム。
【請求項９】
前記非接触ＩＣカードは、前記商品情報を前記品物情報格納手段へ送出し、
前記品物情報格納手段は、前記非接触ＩＣカードから受け取った商品情報と前記通信手段から受け取って格納した品物情報とを対比し、前記商品情報中の商品と同一の品物について前記品物情報から削除することを特徴とする請求項６から８のいずれか１項に記載の非接触ＩＣカード機能を利用した情報管理システム。
【請求項１０】
前記家電機器は、品物情報記録手段と、品物情報編集手段と、品物情報管理手段とを有し、
前記品物情報記録手段は、前記通信手段から受信した前記項目別商品情報を記録して前記品物情報編集手段へ送出し、
前記品物情報編集手段は、前記品物情報記録手段から受け取った項目別商品情報を前記品物情報に追加し、また使用された品物に関する使用情報を算出して前記品物情報から削除し、前記品物情報が最新の状態となるように編集して前記品物情報管理手段へ送出し、
前記品物情報管理手段は、前記品物情報編集手段から受け取った品物情報を管理するとともに、前記品物情報格納手段へ前記品物情報を送信することを特徴とする請求項９に記載の非接触ＩＣカード機能を利用した情報管理システム。
【請求項１１】
商品の購入で決済する際に購入商品に関する情報である商品情報を記憶し管理する非接触ＩＣカード機能付き携帯端末と、
通信機能を搭載した端末装置と、
機器内の品物の状態に関する情報である品物情報を管理する品物情報管理機能及び通信機能を搭載した家電機器とからなる非接触ＩＣカード機能を利用した情報管理システムに用いられる非接触ＩＣカード機能付き携帯端末あって、
非接触ＩＣカードと、分類手段と、通信手段とを有し、
前記非接触ＩＣカードは、前記商品情報を読み書きし記憶して前記分類手段へ送出し、
前記分類手段は、前記非接触ＩＣカードから受け取った商品情報を所定の項目に分類した項目別商品情報を生成して前記通信手段へ送出し、
前記通信手段は、前記分類手段から受け取った項目別商品情報を前記端末装置及び前記家電機器へ送信することを特徴とする非接触ＩＣカード機能付き携帯端末。
【請求項１２】
前記通信手段は、ケーブル又は赤外線で接続して前記端末装置及び前記家電機器と通信を行うことを特徴とする請求項１１に記載の非接触ＩＣカード機能付き携帯端末。
【請求項１３】
前記通信手段は、前記端末装置に前記項目別商品情報を電子メールで送信することを特徴とする請求項１１又は１２に記載の非接触ＩＣカード機能付き携帯端末。
【請求項１４】
前記通信手段は、前記家電機器により管理された品物情報を受信することを特徴とする請求項１１から１３のいずれか１項に記載の非接触ＩＣカード機能付き携帯端末。
【請求項１５】
さらに品物情報格納手段を有し、
前記通信手段は、前記家電機器により管理された品物情報を受信して前記品物情報格納手段へ送出し、
前記品物情報格納手段は、前記通信手段から受け取った品物情報を格納することを特徴とする請求項１４に記載の非接触ＩＣカード機能付き携帯端末。
【請求項１６】
前記非接触ＩＣカードは、前記商品情報を前記品物情報格納手段へ送出し、
前記品物情報格納手段は、前記非接触ＩＣカードから受け取った商品情報と前記通信手段から受け取って格納した品物情報とを対比し、前記商品情報中の商品と同一の品物について前記品物情報から削除することを特徴とする請求項１５に記載の非接触ＩＣカード機能付き携帯端末。
【発明の詳細な説明】
【技術分野】
【０００１】
本発明は、非接触ＩＣカード機能を利用した情報管理システム及び非接触ＩＣカード機能付き携帯端末に関し、特に、非接触ＩＣカード機能付き携帯端末にて商品を購入し決済する場合に、その購入商品の情報を該携帯端末に記憶でき、また購入商品情報を用いて家計管理情報や家庭内の品物の管理情報として利用することができる情報管理システムに関するものである。
【背景技術】
【０００２】
携帯電話等の携帯端末は、小型化と多機能化が進展しますます携帯性、利便性に優れたものとなってきており、携帯端末のユーザが急速に増加している。また、端末機の多機能化あるいは機能の拡張としてＩＣカード機能を搭載した携帯端末も提案されている。ＩＣカード機能の搭載は、携帯端末とカードを別々に携帯しなければならない不便を解消してくれるとともに、携帯端末の機能を利用してカードの情報を閲覧可能とすることができる等、カード利用の利便性の向上も期待できる。
【０００３】
ＩＣカードは、内部にＩＣチップが内蔵されたカードで、接触型と非接触型がある。接触型は、リーダ／ライタと呼ばれるＩＣカード読装置に直接カードを差し込んでデータのやり取りを行い、非接触型は、カードの端子と読取装置の端子を接触させることなく記録されたデータの読み書きが可能である。最近では、この非接触型カードは、自動改札機の上にかざすだけで利用できる定期券やプリペイドカード、またコンビニエンスストアの店頭やパソコンにつないだリーダ／ライタの上にカードを置くだけで利用できる電子マネー等で活用されている。
【０００４】
今日、非接触型のＩＣカード機能を搭載した携帯端末（以下、非接触型ＩＣカード機能付き携帯端末という）が登場し、多くのユーザの間で利用されている。そして、非接触型ＩＣカード機能付き携帯端末は、商品を購入するときの決済を行う役割や、購入した店のポイント管理の役割を果たすようになっている。
【０００５】
ところで、特許文献１では、ＲＦＩＤ（Radio Frequency Identification）チップ等の非接触で電子データを読み書き可能な非接触記憶装置の携帯性を生かし、非接触記憶装置に記憶された情報の活用を図ることが可能な情報提供及び管理方法等が提案されている。これは、商品に取り付けられた非接触記憶装置を読出装置で読み出すために商品ごとあるいは商品から取り外して読出装置に持っていく必要があること、出先で商品を購入する際に過去の情報を閲覧して参考にできないこと等の不便さから考案されたものである。
【０００６】
また、特許文献２では、商品を購入等した消費者が会計処理の情報の印字されたレシートを用いて、会計処理内容を家計簿に記録したり、コンピュータに入力したりして情報を管理するのに手間と時間がかかる状況に鑑み、商品の購入やサービスの提供に伴い行われる会計処理の情報について手間をかけずに集計し、記録することができる会計処理システムが開示されている。
【０００７】
また、特許文献３では、特許文献３では、買物予定日に購入すべき商品を表示する従来のショッピングシステムが購入商品の期限管理や在庫管理を行う機能を有していないことに鑑み、家庭において購入商品の期限管理や在庫管理を行うことができるホームサーバ及びこれを用いた在庫管理システムが開示されている。
【特許文献１】特開２００５−１４９１１５号公報
【特許文献２】特開２００３−２８８４７９号公報
【特許文献３】特開２００３−４４６６２号公報
【発明の開示】
【発明が解決しようとする課題】
【０００８】
ユーザは、非接触ＩＣカード機能付き携帯端末を利用して商品を購入した場合、利用日及び利用総額の情報を確認することは可能だが、購入商品の品目等の詳細情報まで確認できないことがある。購入した商品の詳細情報がわからないと、家計の整理、計算にかかる作業効率が低下し、また、購入商品が少ない場合は整理等の作業に与える影響は少なくて済むが、多い場合には何をどのくらい買ったのかといった購入記録が錯綜し、家計情報の管理に多大な負担が生じることになる。
【０００９】
また、家庭で使用する品物が不足したり賞味期限が経過したりして必ず購入しなければならない場合、品物の在庫状態や賞味期限について管理しておくとともに、買い忘れを防止するためにメモをとる等の手段を講じる必要があり、その分手間がかかってしまう。さらに、仮にメモをとって確実に必要とする品物を購入しても、その品物をすでに購入していたことを忘れてしまう、あるいは同一住居人が別の店で同時にその品物を購入していた等、いわゆる二重購入がなされるおそれがあった。
【００１０】
そこで、本発明は、非接触ＩＣカード機能付き携帯端末を用いて商品を購入しその決済を行う際に購入商品の詳細情報を携帯端末に記憶することができ、記憶した購入商品詳細情報を家計情報管理や品物状態管理に活用できる情報管理システムを提供することを目的とする。
【課題を解決するための手段】
【００１１】
上記課題を解決するために、本発明は、商品の購入で決済する際に購入商品に関する情報である商品情報を記憶し管理する非接触ＩＣカード機能付き携帯端末と、通信機能を搭載した端末装置と、機器内の品物の状態に関する情報である品物情報を管理する品物情報管理機能及び通信機能を搭載した家電機器とを用いて情報を管理する非接触ＩＣカード機能を利用した情報管理システムであって、前記非接触ＩＣカード機能付き携帯端末は、前記商品情報を前記端末装置及び前記家電機器へ送信し、前記端末装置及び前記家電機器は、受信した前記商品情報を記録することを主たる特徴とする。
【００１２】
本発明は、非接触ＩＣカード機能を利用した情報管理システムであって、非接触ＩＣカード機能付き携帯端末と、端末装置と、家電機器とから構成される。非接触ＩＣカード機能付き携帯端末は、商品購入で決済する際に、非接触ＩＣカード機能により購入商品の情報を取得して記憶し、端末装置及び家電機器へ取得した購入商品の情報を送信する。端末装置及び家電機器は、通信機能を有しており、非接触ＩＣカード機能付き携帯端末から購入商品の情報を受信し記録する。例えば、非接触ＩＣカード機能付き携帯端末は購入商品のより詳細な情報を生成する手段を備え、端末装置は家計情報を管理するアプリケーションを搭載し、家電機器は機器内の品物の状態を管理する機能を具備する。そして、非接触ＩＣカード機能付き携帯端末で生成された購入商品の詳細情報は、端末装置及び家電機器へ送信され、端末装置において家計情報管理に有効に利用され、家電機器において機器内の品物状態の管理に活用される。
【００１３】
また、上記課題を解決するために、本発明は、商品の購入で決済する際に購入商品に関する情報である商品情報を記憶し管理する非接触ＩＣカード機能付き携帯端末と、通信機能を搭載した端末装置と、機器内の品物の状態に関する情報である品物情報を管理する品物情報管理機能及び通信機能を搭載した家電機器とからなる非接触ＩＣカード機能を利用した情報管理システムに用いられる非接触ＩＣカード機能付き携帯端末あって、非接触ＩＣカードと、分類手段と、通信手段とを有し、前記非接触ＩＣカードは、前記商品情報を読み書きし記憶して前記分類手段へ送出し、前記分類手段は、前記非接触ＩＣカードから受け取った商品情報を所定の項目に分類した項目別商品情報を生成して前記通信手段へ送出し、前記通信手段は、前記分類手段から受け取った項目別商品情報を前記端末装置及び前記家電機器へ送信することを特徴とするものであってもよい。
【発明の効果】
【００１４】
本発明によれば、非接触ＩＣカード機能付き携帯端末を用いて商品を購入しその決済を行う際に購入商品の詳細情報を携帯端末に記憶することができ、記憶した購入商品詳細情報を家計情報管理や品物状態管理に活用できる情報管理システムが実現される。
【発明を実施するための最良の形態】
【００１５】
図面を参照しながら、本発明の実施形態における非接触ＩＣカード機能を利用した情報管理システム及び非接触ＩＣカード機能付き携帯端末について説明する。なお、本発明の実施形態の説明では、商品は購入の対象となる物品を、品物は購入後の家庭内にある物品を意味するものとする。
【００１６】
まず、本発明の実施形態における非接触ＩＣカード機能付き携帯端末について説明する。
【００１７】
＜実施形態１＞
図１は、発明の実施形態の非接触ＩＣカード機能付き携帯端末の構成を示すブロック図である。本実施形態の非接触ＩＣカード機能付き携帯端末１１０は、非接触ＩＣカード１１１、品目分類フィルタ１１２及び通信部１１３から構成される。
【００１８】
非接触ＩＣカード１１１は、商品を購入し決済する際に店のリーダ／ライタにて購入商品情報１０１を読み書きし記憶する。品目分類フィルタ１１２は、非接触ＩＣカード１１１より受け取った購入商品情報を品目ごとに分類し、購入商品の詳細情報すなわち品目別の商品情報を生成する。通信部１１３は、品目分類フィルタ１１２から品目別商品情報を受け取り、通信機能を備える他の装置へ品目別の情報を送信する。
【００１９】
非接触ＩＣカード機能付き携帯端末１１０が購入商品情報を取得して行う動作について説明する。
【００２０】
まず、購入時に購入商品情報１０１が非接触ＩＣカード１１１を通じて非接触ＩＣカード機能付き携帯端末１１０に入力される。このとき入力される情報には、利用日、利用店、利用合計金額の他に詳細な利用品目と金額の情報が含まれる。
【００２１】
次に、入力された購入商品情報１０１は品目分類フィルタ１１２により利用品目ごとに分類される。品目分類フィルタ１１２は、入力された詳細な利用品目を第１大分類２０１から第Ｎ大分類２０３までの大分類に分類し、１つの大分類についてさらに第１小分類２１１から第Ｎ小分類２１３までの小分類に分類することができる。
【００２２】
具体的な例を挙げて説明すると、例えば、大分類として第１大分類が食品、第２大分類が日用品、第３大分類が家電品と設定され、第１大分類の中の第１小分類が野菜、第２小分類が肉、第３小分類が魚と設定されていたとき、人参を購入した場合には、まず大分類で第１大分類の食品に分類され、さらに小分類で第１小分類の野菜に分類される。なお、購入した品目がどの分類に分けられるのか不明で品目分類フィルタ１１２が認識できない場合は、事前にあるいは分類時にどのカテゴリーに分類するかを決めることができ、次回購入時からは前回の分類方法を学習して分類処理することもできる。
【００２３】
本実施形態では、品目分類フィルタ１１２は、大分類、小分類の２段階となっているが、大分類、中分類、小分類の３段階であってもよい。また、３段階を超える分類も可能である。
【００２４】
動作の説明に戻ると、品目分類フィルタ１１２で生成された品目別商品情報は、通信部１１３へ送出され、通信機能を有する外部の装置へ送信される。
【００２５】
＜実施形態２＞
図２は、本発明の実施形態における非接触ＩＣカード機能を利用した情報管理システムの全体構成を示すブロック図である。本実施形態の情報管理システムは、非接触ＩＣカード機能付き携帯端末１１０、端末装置１２０及び家電機器１３０から構成される。実施形態１で説明した構成については省略し、相違する点について述べる。
【００２６】
端末装置１２０及び家電機器１３０は、非接触ＩＣカード機能付き携帯端末１１０と双方向でデータをやり取りする通信機能を備える。当該通信機能は、例えばケーブル接続して行うケーブル通信や、赤外線通信等が挙げられる。
【００２７】
本実施形態の情報管理システムの動作について説明する。
【００２８】
まず、購入時に購入商品情報１０１が非接触ＩＣカード１１１を通じて非接触ＩＣカード機能付き携帯端末１１０に入力される。次に、入力された購入商品情報１０１は品目分類フィルタ１１２により利用品目ごとに分類され、品目別商品情報が生成される。生成された品目別商品情報は、通信部１１３を介して端末装置１２０及び家電機器１３０へ送信され、記録される。
【００２９】
端末装置１２０に記録された情報は、例えば家計簿等の家計管理情報として利用することができ、いつ、どの分類をどれくらい購入したのかという情報を手で入力する手間を省くことができる。また、家電機器１３０に記録された情報は、例えば在庫情報等の品物状態管理情報として活用できる。
【００３０】
なお、図１では端末装置１２０とはケーブル通信、家電機器１３０とは赤外線通信となっているが、端末装置１２０及び家電機器１３０は、ケーブル通信、赤外線通信のいずれかにて非接触ＩＣカード機能付き携帯端末１１０とデータ送受信を行うことは可能である。
【００３１】
＜実施形態３＞
図３は、本発明の別の実施形態における非接触ＩＣカード機能を利用した情報管理システムの全体構成を示すブロック図である。本実施形態の情報管理システムでは、非接触ＩＣカード機能付き携帯端末１１０が品物情報格納部１１４を備えている点、家電機器１３０が品物情報記録部１３１、品物情報編集部１３２及び品物情報管理部１３３を有している点で実施形態２の情報管理システムと異なる。
【００３２】
まず、本実施形態の非接触ＩＣカード機能を利用した情報管理システムの構成について説明するが、実施形態１と共通する構成については省略し相違する構成について述べる。
【００３３】
非接触ＩＣカード機能付き携帯端末１１０内の品物情報格納部１１４は、通信部１１３を介して家電機器１３０が管理する品物情報を取得し格納する。また、詳細は後述するが、品物情報格納部１１４は、非接触ＩＣカード１１１から購入商品情報を受け取り、品物情報と購入商品情報とを対比して重複するものを品物情報から削除する。
【００３４】
家電機器１３０は、通信機能とともに品物情報管理機能を搭載し、該品物情報管理機能は、品物情報記録部１３１、品物情報編集部１３２及び品物情報管理部１３３により発揮される。品物情報記録部１３１は、通信部１１３が送信した品目別商品情報を受信し、記録する。品物情報編集部１３２は、品物情報記録部１３１が記録した品目別商品情報について種々の編集を行う。品物情報管理部１３３は、品物情報編集部１３２が編集した商品情報を品物情報として管理する。
【００３５】
続いて、本実施形態の非接触ＩＣカード機能を利用した情報管理システムの動作について説明する。
【００３６】
まず、購入時に購入商品情報１０１が非接触ＩＣカード１１１を通じて非接触ＩＣカード機能付き携帯端末１１０に入力され、入力された購入商品情報１０１が品目分類フィルタ１１２により利用品目ごとに分類され品目別商品情報が生成される。入力される情報やフィルタによる分類は、実施形態１で述べたとおりである。
【００３７】
次に、非接触ＩＣカード機能付き装置１１０は、通信部１１３により、端末装置１２０及び家電機器１３０と通信して品目別商品情報を送信する。特に、家電機器１３０は、例えば赤外線通信により受信した品目別商品情報のうち、例えば食品と日用品の情報について品物情報記録部１３１に記録することができる。品物情報記録部１３１は、任意の品目別商品情報、例えば第１大分類の情報、あるいは第１小分類及び第２小分類の情報を選択して記録できる。家電機器１３０の例としては例えば冷蔵庫が挙げられる。
【００３８】
そして、上記の例で品物情報記録部１３１に記録された食品と日用品の情報は、その品目の使用情報や残量情報等を品物情報編集部１３２にて随時編集することができ、編集された情報は品物情報管理部１３３に記録され管理される。また、常備しておく必要のある食材や、食品及び日用品のストック等は特別な印をつけておき、その品物の使用情報の編集によりその品物がなくなった場合には、次回購入リストのアラーム品目として品物情報管理部１３３に情報を入力することができる。
【００３９】
また、商品を購入に行く際には、再び非接触ＩＣカード機能付き携帯端末１１０と家電機器１３０とを接続させ、品物情報管理部１３３の情報を非接触ＩＣカード機能付き携帯端末１１０へ送信して品物情報格納部１１４に記録させ、購入リスト情報や在庫量情報として非接触ＩＣカード機能付き携帯端末１１０に保存させる。これにより、購入すべき商品をいちいちメモにとるといった手間を省くことができる。
【００４０】
さらに、購入時に購入商品情報１０１を非接触ＩＣカード１１１で読み込んだとき、読み込んだ購入商品情報が品物情報格納部１１４に送出され入力されて、品物情報格納部１１４中の購入リスト情報の品物と同一の商品があった場合に、重複する品物が購入リスト情報から削除される。これにより、購入すべき品物の不足分の確認が容易に行うことができ、同一人による二重購入が回避される。
【００４１】
加えて、食品購入時に購入商品情報１０１の中に賞味期限情報が含まれていた場合は、品物情報記録部１３１にその情報も記録され、食品の賞味期限管理を行うことが可能となり、賞味期限が近づいた食品や賞味期限切れの食品についてアラームで知らせることもできる。これにより、例えば冷蔵庫内の奥に入れておいた食品の使い忘れを防止することができ、賞味期限内に効率的に消費できる情報として役立てることができる。また、在庫状態とは異なる賞味期限の観点から購入商品をリストアップすることができ、必要な品物の購入漏れを防ぐことが可能となる。
【００４２】
また、非接触ＩＣカード機能付き携帯端末１１０に入力される購入商品情報１０１の中に利用店での特売情報が含まれていた場合には、品物情報格納部１１４を利用して特売品目を購入すべきかどうかを判断し、購入すべきものを購入リストに挙げておくこともできる。さらに、自分がよく購入する食品や日用品について、これまでの購入情報の記録から底値を把握することができ、これを購入時の参考とすることも可能となる。
【００４３】
＜実施形態４＞
図４は、本発明のさらに別の実施形態における非接触ＩＣカード機能を利用した情報管理システムの全体構成を示すブロック図である。本実施形態の情報管理システムでは、非接触ＩＣカード機能付き携帯端末１１０が端末装置１４０に電子メールにてデータ送信を行う点で実施形態３の情報管理システムと異なる。構成や動作について、共通するものは省略し、相違する点を述べる。
【００４４】
端末装置１４０は、通信機能を搭載しており、非接触ＩＣカード機能付き携帯端末１１０から品目分類フィルタ１１２で分類された品目別商品情報を受信する。データ通信については、端末装置１４０を電子メール送信先としてあらかじめ登録し自動的にメール送信を行うように設定してもよいし、端末装置１４０に手動でメール送信を行ってもよい。端末１４０は、例えば携帯電話等の携帯端末が考えられるが、コンピュータ等の端末装置でもよい。
【００４５】
本実施形態の情報管理システムでは、ユーザが商品を購入し非接触ＩＣカード機能付き携帯端末１１０を用いて決済を行った場合には、例えば同一住居人の携帯端末に電子メールで購入した商品の品目別情報が送信されるため、メール内容を確認することで送信者のユーザと受信者の同一住居人が商品購入に関する情報を共有することができる。これにより、同一住居人と別々の場所で同じ品物を買ってしまうといった二重購入を防止することが可能となる。
【００４６】
なお、上述する実施形態は、本発明の好適な実施形態であり、上記実施形態のみに本発明の範囲を限定するものではなく、本発明の要旨を逸脱しない範囲において種々の変更を施した形態での実施が可能である。
【００４７】
上記の実施形態によれば、非接触ＩＣカード機能付き携帯端末を用いた購入商品の決済において、非接触ＩＣカード機能付き携帯端末内に品目分類フィルタを有することで、利用日及び利用金額だけでなく詳細な品目別商品情報も該携帯端末に記憶することが可能となる。
【００４８】
また、上記の実施形態よれば、非接触ＩＣカード機能付き携帯端末内に品目分類フィルタを有することで、通信機能を搭載した端末装置とケーブルあるいは赤外線で接続した場合に、品目別商品情報を家計簿等の家計情報管理に活用することが可能となる。
【００４９】
また、上記の実施形態によれば、非接触ＩＣカード機能付き携帯端末内に品目分類フィルタを有することで、通信機能及び品物情報管理機能を搭載した家電機器とケーブルあるいは赤外線で接続した場合に、品目別商品情報を在庫リスト等の品物状態管理に活用することが可能となる。
【００５０】
また、上記の実施形態によれば、非接触ＩＣカード機能付き携帯端末内に品物情報格納部を有することで、通信機能及び品物情報管理機能を備えた家電機器にて記録、編集、管理された在庫情報や購入リスト情報等の品物情報を、再び非接触ＩＣカード機能付き携帯端末に記録させることにより、購入忘れや二重購入の防止に役立てることが可能となる。
【図面の簡単な説明】
【００５１】
【図１】本発明の実施形態に係る非接触ＩＣカード機能付き携帯端末の構成を示したブロック図である。
【図２】本発明の実施形態に係る非接触ＩＣカード機能を利用した情報管理システムの全体構成を示したブロック図である。
【図３】本発明の実施形態に係る非接触ＩＣカード機能を利用した情報管理システムの全体構成を示したブロック図である。
【図４】本発明の実施形態に係る非接触ＩＣカード機能を利用した情報管理システムの全体構成を示したブロック図である。
【符号の説明】
【００５２】
１０１    購入商品情報
１１０    非接触ＩＣカード機能付き携帯端末
１１１    非接触ＩＣカード
１１２    品目分類フィルタ
１１３    通信部
１１４    品物情報格納部
１２０，１４０    端末装置
１３０    家電機器
１３１    品物情報記録部
１３２    品物情報編集部
１３３    品物情報管理部
２０１    第１大分類
２０２    第２大分類
２０３    第Ｎ大分類
２１１    第１小分類
２１２    第２小分類
２１３    第Ｎ小分類
【図１】
2007241849.tif 000003
【図２】
2007241849.tif 000004
【図３】
2007241849.tif 000005
【図４】
2007241849.tif 000006